(57)【要約】【課題】  本発明は、帽子のひさしに装着して使用するためのクリップと、耳に掛けて使用するための弦とを着脱容易に交換でき、かつ、軽快感のある形状の複合用途対応型眼鏡を提供する。【解決手段】  眼鏡本体と、前記眼鏡本体を下面に装着・固定し、かつ、その両端部上面及び側面に眼鏡本体を帽子のひさしに装着するための後記のクリップ又は眼鏡本体を耳に掛ける弦を、着脱可能にするフレーム固定板着脱部を有する中央フレームと、眼鏡本体の跳ね上げ角度を調整するギアをその上面に一体的に形成したクリップフレームを有する左右一対のクリップと、弦フレームの端部に備えた回転部材を介して回動可能に連接された耳掛けとからなる左右一対の弦とで構成され、前記クリップと弦のいずれかを選択、交換して使用できるようにしてなる複合用途対応型眼鏡による。【選択図】  図１７
2006039511.tif 000002
【特許請求の範囲】
【請求項１】
眼鏡本体１００と、
前記眼鏡本体１００を下面に装着・固定し、かつ、その両端部上面及び側面に眼鏡本体１００を帽子のひさしに装着するための後記のクリップ２００又は眼鏡本体１００を耳に掛ける弦３００を、着脱可能にするフレーム固定板着脱部１１３を有する中央フレーム１１０と、
眼鏡本体１００の跳ね上げ角度を調整するギア２１５をその上面に一体的に形成したクリップフレーム２１０を有する左右一対のクリップ２００と、
弦フレーム３１０の端部に備えた回転部材３２０を介して回動可能に連接された耳掛け３３０とからなる左右一対の弦３００と
で構成され、前記クリップ２００と弦３００のいずれかを選択、交換して使用できるようにしてなることを特徴とする複合用途対応型眼鏡。
【請求項２】
レンズ部１０１と、その上縁部にレンズ部１０１より厚めの補強部１０２とが一体に形成された眼鏡本体１００と、
前記眼鏡本体１００の補強部１０２を下面に装着・固定し、かつ、その両端部上面及び側面に眼鏡本体１００を帽子のひさしに装着するための後記のクリップ２００又は眼鏡本体１００を耳に掛ける弦３００を、着脱可能にするフレーム固定板着脱部１１３を有する中央フレーム１１０と、
前記中央フレーム１１０のフレーム固定板着脱部１１３に着脱するフレーム固定板２１３と、眼鏡本体１００の跳ね上げ角度を調節するギア２１５とをその上面に一体に形成したクリップフレーム２１０を有する左右一対のクリップ２００と、
前記中央フレーム１１０のフレーム固定板着脱部１１３に着脱するフレーム固定板３１３を有する弦フレーム３１０と、同弦フレーム３１０の端部に備えた回転部材３２０を介して回動可能に連接された耳掛け３３０とからなる左右一対の弦３００と
で構成され、前記クリップ２００と弦３００のいずれかを選択、交換して使用できるようにしてなることを特徴とする複合用途対応型眼鏡。
【請求項３】
前記眼鏡本体１００の補強部１０２が、円形、又は多角形の断面を有する棒状に形成されてなることを特徴とする請求項２に記載の複合用途対応型眼鏡。
【請求項４】
前記中央フレーム１１０が、その下面に前記眼鏡本体１００の補強部１０２を挿通する左右両端部連通の眼鏡本体挿入溝１１１を、また両端部上面に備えられた前記フレーム固定板着脱部１１３に、クリップフレーム２１０又は弦フレーム３１０のフレーム固定板２１３、又は３１３の下面に設けられた固定板突起部２１４、又は３１４を係止する固定板突起部係止溝１１４を、さらに左右両側面に前記クリップフレーム２１０のフレーム固定用突起２１２、または弦フレーム３１０のフレーム固定用突起３１２を挿入する一定深さのフレーム固定用突起挿入孔１１２を備えてなることを特徴とする請求項２に記載の複合用途対応型眼鏡。
【請求項５】
前記クリップフレーム２１０及び弦フレーム３１０が、
その下面に眼鏡本体１００の補強部１０２の端部を挿入する眼鏡本体挿入溝２１１、３１１を備え、またその左右いずれか一方の側面に中央フレーム１１０のフレーム固定用突起挿入孔１１２に挿入するフレーム固定用突起２１２、３１２を、さらに前記フレーム固定板２１３、３１３の下面に前記中央フレーム１１０に備えられた固定板突起係止溝１１４に係止・固定される固定板突起部２１４、３１４を備えてなることを特徴とする請求項２又は４に記載の複合用途対応型眼鏡。
【請求項６】
前記クリップフレーム２１０、及び弦フレーム３１０の側面に突設されたフレーム固定用突起２１２、３１２が、金属によって形成されたものであることを特徴とする請求項５に記載の複合用途対応型眼鏡。
【請求項７】
前記クリップ２００が、クリップフレーム２１０の上部中央にクリップフレーム２１０と一体に形成されたギア２１５、上記ギアの回動を制御するためのストッパー２２０、前記ギア２１５をクリップ本体部２３０に固定するギア固定軸２４０、及び眼鏡本体１００を帽子のひさしに装着するクリップ本体部２３０とで構成され、かつ、クリップ本体部２３０が、前記ストッパー２２０を挿入・固定するストッパー挿入孔２３１と、軸受け２３２とを備えてなることを特徴とする請求項１又は２に記載の複合用途対応型眼鏡。
【請求項８】
前記眼鏡本体１００の中央部下縁に、眼鏡本体１００の縁端部を挿入する溝を有する軟質の素材で作られた逆Ｖ字形の鼻当て４００を配設してなることを特徴とする請求項１又は２に記載の複合用途対応型眼鏡。
【請求項９】
レンズ部１０１’の上縁両端に前記レンズ部１０１’を係止・固定するためのフレーム装着部１０４と係止凸部１０５が形成されてなる眼鏡本体１００’と、
前記眼鏡本体１００’を下面に装着・固定し、かつ両端上面及び側面に眼鏡本体１００’を帽子のひさしに装着するクリップ２００’、又は眼鏡本体１００’を耳に掛ける弦３００’を着脱可能にするフレーム固定板着脱部１１３を有する中央フレーム１１０’と、
前記中央フレーム１１０’のフレーム固定板着脱部１１３に着脱するフレーム固定板２１３と、眼鏡本体１００’の跳ね上げ角度を調節するギア２１５とをその上面に形成したクリップフレーム２１０’を有する左右一対のクリップ２００’と、
前記中央フレーム１１０’のフレーム固定板着脱部１１３に着脱するフレーム固定板３１３を有する弦フレーム３１０’と、同弦フレーム３１０’の端部に備えた回転部材３２０を介して回動可能に連接された耳掛け３３０とからなる左右一対の弦３００’と、
で構成され、前記クリップ２００’と弦３００’のいずれかを選択、交換して使用できるようにしてなることを特徴とする複合用途対応型眼鏡。
【請求項１０】
前記中央フレーム１１０’が、その下面に前記眼鏡本体１００’の上縁を挿入する左右両端部連通の眼鏡本体挿入溝１１１’を、また両端部上面に備えられた前記フレーム固定板着脱部１１３に、クリップフレーム２１０’又は弦フレーム３１０’のフレーム固定板２１３、又は３１３下面に設けられた固定板突起部２１４、又は３１４を係止する固定板突起部係止溝１１４を、さらに左右両側面に前記クリップフレーム２１０’のフレーム固定用突起２１２、または弦フレーム３１０’のフレーム固定用突起３１２を挿入する一定深さのフレーム突起挿入孔１１２を備えてなることを特徴とする請求項９に記載の複合用途対応型眼鏡。
【請求項１１】
前記クリップフレーム２１０’及び弦フレーム３１０’が、
その下面に眼鏡本体１００’の上縁を挿入し、かつ、前記レンズ部１０１’の係止凸部１０５が係止できる形状の眼鏡本体挿入溝２１１’、３１１’を備え、またその左右いずれか一方の側面に中央フレーム１１０’のフレーム固定用突起挿入孔１１２に挿入するフレーム固定用突起２１２、３１２を、さらに前記フレーム固定板２１３、３１３の下面に前記中央フレーム１１０’に備えられた固定板突起係止溝１１４に係止・固定される固定板突起部２１４、３１４を備えてなることを特徴とする請求項９又は１０に記載の複合用途対応型眼鏡。
【請求項１２】
前記クリップフレーム２１０’、及び弦フレーム３１０’の側面に突設されたフレーム固定用突起２１２、３１２が、金属によって形成されたものであることを特徴とする請求項１１に記載の複合用途対応型眼鏡。
【請求項１３】
前記クリップ２００’が、クリップフレーム２１０’の上部中央にクリップフレーム２１０’と一体に形成されたギア２１５、上記ギアの回動を制御するためのストッパー２２０、前記ギア２１５をクリップ本体部２３０に固定するギア固定軸２４０、及び眼鏡本体を帽子のひさしに装着するクリップ本体部２３０とで構成され、かつ、前記クリップ本体部２３０が、前記ストッパー２２０を挿入・固定するストッパー挿入孔２３１と前記ギア固定軸２４０の軸受け２３２とを備えてなることを特徴とする請求項９に記載の複合用途対応型眼鏡。
【請求項１４】
前記眼鏡本体１００’の中央部の下縁に、眼鏡本体１００’の縁端部を挿入する溝を有する軟質の素材で作られた逆Ｖ字形の鼻当て４００を配設してなることを特徴とする請求項９に記載の複合用途対応型眼鏡。
【請求項１５】
レンズ部１０１の上縁が他より厚めに形成された補強部１０２を持つ眼鏡本体１００、又はレンズ部１０１’の上縁両端に前記レンズ部１０１’を係止・固定するためのフレーム装着部１０４と係止凸部１０５が形成されてなる眼鏡本体１００’と、
前記眼鏡本体１００又は１００’を装着・固定する眼鏡本体挿入溝６１０を下面に、また両眼鏡本体１００又は１００’を帽子のひさしに装着するクリップ２００、あるいは眼鏡本体１００又は１００’を耳に掛ける弦３００又は３００’の各フレーム７００に備えたフレーム固定用突起７２０を着脱可能にするフレーム固定用突起挿入孔６２０を左右両側面に有し、かつ、前記フレーム固定用突起挿入孔６２０の左右側壁に外部に開口する突起係止孔６３０を設けてなる中央フレーム６００と、
前記中央フレーム６００のフレーム固定用突起挿入孔６２０に着脱可能に挿入するフレーム固定用突起７２０をその左右いずれかの側面に、眼鏡本体１００の跳ね上げ角度を調節するギア２１５を上面に、前記レンズ部１０１上縁の補強部１０２又は前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００の突起係止孔６３０に係止される係止部７３０を備えてなるクリップフレーム７１０、前記ギア２１５の回動を制御するストッパー２２０、前記ギア２１５をクリップ本体部に固定するギア固定軸２４０、眼鏡本体１００または１００’を帽子のひさしに装着するクリップ本体部２３０とで構成される左右一対のクリップ２００と、
前記中央フレーム６００のフレーム固定用突起挿入孔６２０に着脱可能に挿入するフレーム固定用突起７２０をその左右いずれかの側面に、また前記レンズ部１０１上縁の補強部１０２又は前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００の突起係止孔６３０に係止される係止部７３０を備えてなる弦フレーム７００’、及び同弦フレーム７００’の端部に備えた回転部材３２０を介して回動可能に連接された耳掛け３３０とからなる左右一対の弦３００とから構成され、
前記クリップ２００と弦３００のいずれかを選択、交換して使用できるようにしてなることを特徴とする複合用途対応型眼鏡。
【請求項１６】
前記クリップフレーム７００又は弦フレーム７００’の、中央フレーム６００のフレーム固定用突起挿入孔６２０に着脱可能に挿入するフレーム固定用突起７２０が、円柱状又は四角柱状に形成され、かつ前記フレーム固定用突起７２０の両側面に形成された係止部７３０が、前記中央フレーム６００のフレーム固定用突起挿入孔６２０に挿入される際に内側に押し込まれる余地を有する係止部遊動空間７４０が配設されてなることを特徴とする請求項１４に記載の複合用途対応型眼鏡。
【請求項１７】
レンズ部１０１’の上縁両端に前記レンズ部１０１’を係止・固定するためのフレーム装着部１０４と係止凸部１０５が形成されてなる眼鏡本体１００’と、
前記眼鏡本体１００’を装着・固定する眼鏡本体挿入溝６１０を下面に、また眼鏡本体１００’を帽子のひさしに装着するクリップ又は眼鏡本体１００’を耳に掛ける弦のクリップフレーム又は弦フレーム７００’に備えたフレーム固定用突起７２０’を、着脱可能に挿入できるフレーム固定用突起挿入孔６２０を左右両側面に有し、かつ、前記フレーム固定用突起挿入孔６２０のいずれか一方の側壁に外部に開口する突起係止孔６３０’を設けてなる中央フレーム６００’と、
前記中央フレーム６００’のフレーム固定用突起挿入孔６２０に着脱可能に挿入するフレーム固定用突起７２０’をその左右いずれかの側面に、眼鏡本体１００’の跳ね上げ角度を調節するギア２１５を上面に、前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００’の突起係止孔６３０’に係止される係止部７３０を備えてなるクリップフレーム７１０’、前記ギア２１５の回動を制御するストッパー２２０、前記ギア２１５をクリップ本体部に固定するギア固定軸２４０、眼鏡本体１００’を帽子のひさしに装着するクリップ本体部２３０とで構成される左右一対のクリップ２００と、
前記中央フレーム６００’のフレーム固定用突起挿入孔６２０に着脱可能に挿入するフレーム固定用突起７２０’をその左右いずれかの側面に、また前記レンズ部１０１’上縁端部の係止凸部１０５を挿入、係止できる形状の眼鏡本体挿入溝７１０を下面に有し、かつ、前記フレーム固定用突起７２０’が、そのいずれかの側面に前記中央フレーム６００’の突起係止孔６３０’に係止される係止部７３０’を備えてなる弦フレーム７００’、及び同弦フレーム７００’の端部に備えた回転部材３２０を介して回動可能に連接された耳掛け３３０とからなる左右一対の弦３００と、
前記眼鏡本体１００’の中央部の下縁に沿って、眼鏡本体１００’の縁端部を挿入する溝を有する逆Ｖ字形の鼻当て部４００と、前記中央フレーム６００’を上部から押さえて前記中央フレームと鼻当て部とによって眼鏡本体を挟持するための連結部とが軟質の素材で一体的に形成されてなる鼻当て４００’とで構成され、
前記クリップと弦のいずれかを選択、交換して使用できるようにしてなることを特徴とする複合用途対応型眼鏡。
【請求項１８】
前記フレーム固定用突起７２０’が、先端が切り込みによって２分岐され、その一方の側面に前記中央フレーム６００’の係止孔６３０’に係止される係止部７３０’を備えてなることを特徴とする請求項１７に記載の複合用途対応型眼鏡。
【発明の詳細な説明】
【技術分野】
【０００１】
本発明は、帽子のひさしに装着して使用したり、通常の眼鏡同様弦を着けて耳に掛けて使用したりできるよう、帽子のひさしへの装着用クリップと耳に掛ける弦とを着脱可能に装着した複合用途対応型眼鏡に関する。
【背景技術】
【０００２】
日差しから頭部を保護するために着用する帽子は、その多くが前方にひさしが具備され、太陽光が直接顔に当たらないようになってはいるが、強い日差しから目を保護するために前記帽子とともにサングラスや偏光眼鏡等の保護眼鏡を併用する人も多い。
従来、サングラスや偏光眼鏡と帽子とは別個のものとの認識から、それぞれ別個に購入され着用されるのが一般であったが、最近は帽子に装着して使用する多様な形のサングラスや偏光眼鏡等の保護眼鏡が開発され使用されるようになってきている。
例えば、図１に示すような、帽子ＡのひさしＢにクリップＣで前後に移動可能に装着された帽子装着型眼鏡Ｘがある。
前記帽子装着型眼鏡Ｘは、多様な形と色相を持つ眼鏡本体Ｄと、該眼鏡本体Ｄの両端に配設された二つのクリップＣとによって構成され、前記二つのクリップＣで帽子のひさしＢに装着して使用するものであり、また、前記クリップＣには眼鏡本体Ｄを着用しない場合に前記眼鏡本体Ｄを前方に跳ね上げておく手段をも備えている。
しかし、前記帽子装着型眼鏡Ｘは、クリップＣと眼鏡本体Ｄとが一体に形成されているので、ひさしＢのついた帽子Ａを着用するときにのみ使用でき、ひさしＢのない帽子を着用する場合や、無帽の場合には、目を保護するために別途サングラスや偏光眼鏡を使用しなければならないという問題があった。
また、前記クリップＣや眼鏡本体Ｄが損傷した場合には、前記帽子装着型眼鏡ＸをひさしＢに装着できなくなるので、再度帽子装着型眼鏡Ｘを購入しなければならないという経済的な問題もあった。
【０００３】
前記帽子装着型眼鏡Ｘの問題点を解決するため、図２に示すような、眼鏡本体１の両端部にクリップ１０を取り付け、さらにクリップ１０を帽子のひさしに装着して帽子装着型眼鏡として使用するか、又は前記眼鏡本体１の両端部に眼鏡の弦２０を装着して通常の眼鏡同様弦２０を耳に掛けて使用するかを、随時選択できる複合用途対応型眼鏡Ｘ’が案出されている。
すなわち、前記複合用途対応型眼鏡Ｘ’は、その両端上部に前記クリップ１０又は眼鏡の弦２０を着脱するための着脱溝２が形成された透明な素材でなる眼鏡本体１と、眼鏡本体１の着脱溝２に挿入して眼鏡本体１を帽子のひさしに装着するための二つのクリップ１０と、眼鏡本体１の着脱溝２に挿入して通常の眼鏡として使用するための二本の弦２０とから構成されている。
前記クリップ１０は、帽子のひさしを挟持するクリップ本体部１２と、前記眼鏡本体１の着脱溝２に挿入する着脱部を持つギア１１と、同ギア１１を制御するためのストッパー１３と、前記ギア１１を前記クリップ本体部１２に固定する固定軸１６とからなる。そしてクリップ本体部１２には前記ストッパー１３を挿入するストッパー挿入部１４と前記ギア１１の固定軸１６を嵌入する嵌入孔を有する二つの軸受け部１５が備えられ、前記ストッパー１３はストッパー挿入部１４に挿入され、前記ストッパー挿入部１４から突出した端面が前記固定軸１６によってクリップ本体部１２の二つの軸受け部１５間に固定されたギア１１と接触するよう配置され、前記ギア１１とストッパー１３との接触によって眼鏡本体を前方に任意の角度で跳ね上げられるようにしている。
また、前記眼鏡の弦２０は、眼鏡本体１の着脱溝２に挿入する着脱部２１と、眼鏡を耳に掛ける弦部２２と、前記着脱部２１と弦部２２とを接続するとともに弦部２２を内側に折り曲げられるようにする回転部材２３とで構成されている。
【発明の開示】
【発明が解決しようとする課題】
【０００４】
しかし、上記構成の複合用途対応型眼鏡Ｘ’は、眼鏡本体１の両端部に着脱溝２を形成する必要があるため前記眼鏡本体１の両端部が厚くなり、眼鏡本体１を多様な形に作りにくく、軽快感にも欠ける。
また、眼鏡本体１へのクリップ１０又は眼鏡の弦２０の装着が、眼鏡本体１の着脱溝２に、ギア１１の着脱部又は弦２０の着脱部２１を単純に挿入するだけで行われるので、装着した帽子のひさしの湾曲が広げられたり、ひさしの幅がクリップの間隔より広かったりする場合には、クリップ１０が前記着脱溝２からはずれたり、装着不能になったりする問題があった。そして、眼鏡の弦２０を装着する場合でも、顔の大きい人が使用するために弦部２２の間隔を広げようとすると、着脱部２１が着脱溝２からはずれて使用できなくなるおそれや、さらには着脱溝２に力が加わることによって損傷しやすいという問題があった。
【０００５】
本発明は、上記背景技術の問題点に鑑み、クリップ及び眼鏡の弦の着脱が容易・確実に行え、かつ、装着したクリップ又は眼鏡の弦が眼鏡本体から簡単にはずれることなく、そして薄くて軽快感のある形状の複合用途対応型眼鏡を提供するものである。
【課題を解決するための手段】
【０００６】
本発明者らは、上記課題を下記の手段によって解決した。
（１）眼鏡本体１００と、
前記眼鏡本体１００を下面に装着・固定し、かつ、その両端部上面及び側面に眼鏡本体１００を帽子のひさしに装着するための後記のクリップ２００又は眼鏡本体１００を耳に掛ける弦３００を、着脱可能にするフレーム固定板着脱部１１３を有する中央フレーム１１０と、
眼鏡本体１００の跳ね上げ角度を調整するギア２１５をその上面に一体的に形成したクリップフレーム２１０を有する左右一対のクリップ２００と、
弦フレーム３１０の端部に備えた回転部材３２０を介して回動可能に連接された耳掛け３３０とからなる左右一対の弦３００と
で構成され、前記クリップ２００と弦３００のいずれかを選択、交換して使用できるようにしてなることを特徴とする複合用途対応型眼鏡。
【０００７】
（２）レンズ部１０１と、その上縁部にレンズ部１０１より厚めの補強部１０２とが一体に形成された眼鏡本体１００と、
前記眼鏡本体１００の補強部１０２を下面に装着・固定し、かつ、その両端部上面及び側面に眼鏡本体１００を帽子のひさしに装着するための後記のクリップ２００又は眼鏡本体１００を耳に掛ける弦３００を、着脱可能にするフレーム固定板着脱部１１３を有する中央フレーム１１０と、
前記中央フレーム１１０のフレーム固定板着脱部１１３に着脱するフレーム固定板２１３と、眼鏡本体１００の跳ね上げ角度を調節するギア２１５とをその上面に一体に形成したクリップフレーム２１０を有する左右一対のクリップ２００と、
前記中央フレーム１１０のフレーム固定板着脱部１１３に着脱するフレーム固定板３１３を有する弦フレーム３１０と、同弦フレーム３１０の端部に備えた回転部材３２０を介して回動可能に連接された耳掛け３３０とからなる左右一対の弦３００と
で構成され、前記クリップ２００と弦３００のいずれかを選択、交換して使用できるようにしてなることを特徴とする複合用途対応型眼鏡。
【０００８】
（３）前記眼鏡本体１００の補強部１０２が、円形、又は多角形の断面を有する棒状に形成されてなることを特徴とする前項（２）に記載の複合用途対応型眼鏡。
【０００９】
（４）前記中央フレーム１１０が、その下面に前記眼鏡本体１００の補強部１０２を挿通する左右両端部連通の眼鏡本体挿入溝１１１を、また両端部上面に備えられた前記フレーム固定板着脱部１１３に、クリップフレーム２１０又は弦フレーム３１０のフレーム固定板２１３、又は３１３の下面に設けられた固定板突起部２１４、又は３１４を係止する固定板突起部係止溝１１４を、さらに左右両側面に前記クリップフレーム２１０のフレーム固定用突起２１２、または弦フレーム３１０のフレーム固定用突起３１２を挿入する一定深さのフレーム固定用突起挿入孔１１２を備えてなることを特徴とする前項（２）に記載の複合用途対応型眼鏡。
【００１０】
（５）前記クリップフレーム２１０及び弦フレーム３１０が、
その下面に眼鏡本体１００の補強部１０２の端部を挿入する眼鏡本体挿入溝２１１、３１１を備え、またその左右いずれか一方の側面に中央フレーム１１０のフレーム固定用突起挿入孔１１２に挿入するフレーム固定用突起２１２、３１２を、さらに前記フレーム固定板２１３、３１３の下面に前記中央フレーム１１０に備えられた固定板突起係止溝１１４に係止・固定される固定板突起部２１４、３１４を備えてなることを特徴とする前項（２）又は（４）に記載の複合用途対応型眼鏡。
【００１１】
（６）前記クリップフレーム２１０、及び弦フレーム３１０の側面に突設されたフレーム固定用突起２１２、３１２が、金属によって形成されたものであることを特徴とする前項（５）に記載の複合用途対応型眼鏡。
【００１２】
（７）前記クリップ２００が、クリップフレーム２１０の上部中央にクリップフレーム２１０と一体に形成されたギア２１５、上記ギアの回動を制御するためのストッパー２２０、前記ギア２１５をクリップ本体部２３０に固定するギア固定軸２４０、及び眼鏡本体１００を帽子のひさしに装着するクリップ本体部２３０とで構成され、かつ、クリップ本体部２３０が、前記ストッパー２２０を挿入・固定するストッパー挿入孔２３１と、軸受け２３２とを備えてなることを特徴とする前項（１）又は（２）に記載の複合用途対応型眼鏡。
【００１３】
（８）前記眼鏡本体１００の中央部下縁に、眼鏡本体１００の縁端部を挿入する溝を有する軟質の素材で作られた逆Ｖ字形の鼻当て４００を配設してなることを特徴とする前項（１）又は（２）に記載の複合用途対応型眼鏡。
【００１４】
（９）レンズ部１０１’の上縁両端に前記レンズ部１０１’を係止・固定するためのフレーム装着部１０４と係止凸部１０５が形成されてなる眼鏡本体１００’と、
前記眼鏡本体１００’を下面に装着・固定し、かつ両端上面及び側面に眼鏡本体１００’を帽子のひさしに装着するクリップ２００’、又は眼鏡本体１００’を耳に掛ける弦３００’を着脱可能にするフレーム固定板着脱部１１３を有する中央フレーム１１０’と、
前記中央フレーム１１０’のフレーム固定板着脱部１１３に着脱するフレーム固定板２１３と、眼鏡本体１００’の跳ね上げ角度を調節するギア２１５とをその上面に形成したクリップフレーム２１０’を有する左右一対のクリップ２００’と、
前記中央フレーム１１０’のフレーム固定板着脱部１１３に着脱するフレーム固定板３１３を有する弦フレーム３１０’と、同弦フレーム３１０’の端部に備えた回転部材３２０を介して回動可能に連接された耳掛け３３０とからなる左右一対の弦３００’と、
で構成され、前記クリップ２００’と弦３００’のいずれかを選択、交換して使用できるようにしてなることを特徴とする複合用途対応型眼鏡。
【００１５】
（１０）前記中央フレーム１１０’が、その下面に前記眼鏡本体１００’の上縁を挿入する左右両端部連通の眼鏡本体挿入溝１１１’を、また両端部上面に備えられた前記フレーム固定板着脱部１１３に、クリップフレーム２１０’又は弦フレーム３１０’のフレーム固定板２１３、又は３１３下面に設けられた固定板突起部２１４、又は３１４を係止する固定板突起部係止溝１１４を、さらに左右両側面に前記クリップフレーム２１０’のフレーム固定用突起２１２、または弦フレーム３１０’のフレーム固定用突起３１２を挿入する一定深さのフレーム突起挿入孔１１２を備えてなることを特徴とする前項（９）に記載の複合用途対応型眼鏡。
【００１６】
（１１）前記クリップフレーム２１０’及び弦フレーム３１０’が、
その下面に眼鏡本体１００’の上縁を挿入し、かつ、前記レンズ部１０１’の係止凸部１０５が係止できる形状の眼鏡本体装着溝２１１’、３１１’を備え、またその左右いずれか一方の側面に中央フレーム１１０’のフレーム固定用突起挿入孔１１２に挿入するフレーム固定用突起２１２、３１２を、さらに前記フレーム固定板２１３、３１３の下面に前記中央フレーム１１０’に備えられた固定板突起係止溝１１４に係止・固定される固定板突起部２１４、３１４を備えてなることを特徴とする前項（９）又は（１０）に記載の複合用途対応型眼鏡。
【００１７】
（１２）前記クリップフレーム２１０’、及び弦フレーム３１０’の側面に突設されたフレーム固定用突起２１２、３１２が、金属によって形成されたものであることを特徴とする前項（１１）に記載の複合用途対応型眼鏡。
【００１８】
（１３）前記クリップ２００’が、クリップフレーム２１０’の上部中央にクリップフレーム２１０’と一体に形成されたギア２１５、上記ギアの回動を制御するためのストッパー２２０、前記ギア２１５をクリップ本体部２３０に固定するギア固定軸２４０、及び眼鏡本体を帽子のひさしに装着するクリップ本体部２３０とで構成され、かつ、前記クリップ本体部２３０が、前記ストッパー２２０を挿入・固定するストッパー挿入孔２３１と前記ギア固定軸２４０の軸受け２３２とを備えてなることを特徴とする前項（９）に記載の複合用途対応型眼鏡。
【００１９】
（１４）前記眼鏡本体１００’の中央部の下縁に、眼鏡本体１００’の縁端部を挿入する溝を有する軟質の素材で作られた逆Ｖ字形の鼻当て４００を配設してなることを特徴とする前項（９）に記載の複合用途対応型眼鏡。
【００２０】
（１５）レンズ部１０１の上縁が他より厚めに形成された補強部１０２を持つ眼鏡本体１００、又はレンズ部１０１’の上縁両端に前記レンズ部１０１’を係止・固定するためのフレーム装着部１０４と係止凸部１０５が形成されてなる眼鏡本体１００’と、
前記眼鏡本体１００又は１００’を装着・固定する眼鏡本体挿入溝６１０を下面に、また両眼鏡本体１００又は１００’を帽子のひさしに装着するクリップ２００、あるいは眼鏡本体１００又は１００’を耳に掛ける弦３００又は３００’の各フレーム７００に備えたフレーム固定用突起７２０を着脱可能にするフレーム固定用突起挿入孔６２０を左右両側面に有し、かつ、前記フレーム固定用突起挿入孔６２０の左右側壁に外部に開口する突起係止孔６３０を設けてなる中央フレーム６００と、
前記中央フレーム６００のフレーム固定用突起挿入孔６２０に着脱可能に挿入するフレーム固定用突起７２０をその左右いずれかの側面に、眼鏡本体１００の跳ね上げ角度を調節するギア２１５を上面に、前記レンズ部１０１上縁の補強部１０２又は前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００の突起係止孔６３０に係止される係止部７３０を備えてなるクリップフレーム７１０、前記ギア２１５の回動を制御するストッパー２２０、前記ギア２１５をクリップ本体部に固定するギア固定軸２４０、眼鏡本体１００または１００’を帽子のひさしに装着するクリップ本体部２３０とで構成される左右一対のクリップ２００と、
前記中央フレーム６００のフレーム固定用突起挿入孔６２０に着脱可能に挿入するフレーム固定用突起７２０をその左右いずれかの側面に、また前記レンズ部１０１上縁の補強部１０２又は前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００の突起係止孔６３０に係止される係止部７３０を備えてなる弦フレーム７００’、及び同弦フレーム７００’の端部に備えた回転部材３２０を介して回動可能に連接された耳掛け３３０とからなる左右一対の弦３００とから構成され、
前記クリップ２００と弦３００のいずれかを選択、交換して使用できるようにしてなることを特徴とする複合用途対応型眼鏡。
【００２１】
（１６）前記クリップフレーム７００又は弦フレーム７００’の、中央フレーム６００のフレーム固定用突起挿入孔６２０に着脱可能に挿入するフレーム固定用突起７２０が、円柱状又は四角柱状に形成され、かつ前記フレーム固定用突起７２０の両側面に形成された係止部７３０が、前記中央フレーム６００のフレーム固定用突起挿入孔６２０に挿入される際に内側に押し込まれる余地を有する係止部遊動空間７４０が配設されてなることを特徴とする前項（１４）に記載の複合用途対応型眼鏡。
【００２２】
（１７）レンズ部１０１’の上縁両端に前記レンズ部１０１’を係止・固定するためのフレーム装着部１０４と係止凸部１０５が形成されてなる眼鏡本体１００’と、
前記眼鏡本体１００’を装着・固定する眼鏡本体挿入溝６１０を下面に、また眼鏡本体１００’を帽子のひさしに装着するクリップ又は眼鏡本体１００’を耳に掛ける弦のクリップフレーム又は弦フレーム７００’に備えたフレーム固定用突起７２０’を、着脱可能に挿入できるフレーム固定用突起挿入孔６２０を左右両側面に有し、かつ、前記フレーム固定用突起挿入孔６２０のいずれか一方の側壁に外部に開口する突起係止孔６３０’を設けてなる中央フレーム６００’と、
前記中央フレーム６００’のフレーム固定用突起挿入孔６２０に着脱可能に挿入するフレーム固定用突起７２０’をその左右いずれかの側面に、眼鏡本体１００’の跳ね上げ角度を調節するギア２１５を上面に、前記レンズ部１０１’上縁端部の係止凸部１０５を挿入、係止できる形状の眼鏡本体挿入溝７１０を下面に有し、かつ、前記フレーム固定用突起７２０が、その両側面に前記中央フレーム６００’の突起係止孔６３０’に係止される係止部７３０を備えてなるクリップフレーム７１０’、前記ギア２１５の回動を制御するストッパー２２０、前記ギア２１５をクリップ本体部に固定するギア固定軸２４０、眼鏡本体１００’を帽子のひさしに装着するクリップ本体部２３０とで構成される左右一対のクリップ２００と、
前記中央フレーム６００’のフレーム固定用突起挿入孔６２０に着脱可能に挿入するフレーム固定用突起７２０’をその左右いずれかの側面に、また前記レンズ部１０１’上縁端部の係止凸部１０５を挿入、係止できる形状の眼鏡本体挿入溝７１０を下面に有し、かつ、前記フレーム固定用突起７２０’が、そのいずれかの側面に前記中央フレーム６００’の突起係止孔６３０’に係止される係止部７３０’を備えてなる弦フレーム７００’、及び同弦フレーム７００’の端部に備えた回転部材３２０を介して回動可能に連接された耳掛け３３０とからなる左右一対の弦３００と、
前記眼鏡本体１００’の中央部の下縁に沿って、眼鏡本体１００’の縁端部を挿入する溝を有する逆Ｖ字形の鼻当て部４００と、前記中央フレーム６００’を上部から押さえて前記中央フレームと鼻当て部とによって眼鏡本体を挟持するための連結部とが軟質の素材で一体的に形成されてなる鼻当て４００’とで構成され、
前記クリップと弦のいずれかを選択、交換して使用できるようにしてなることを特徴とする複合用途対応型眼鏡。
【００２３】
（１８）前記フレーム固定用突起７２０’が、先端が切り込みによって２分岐され、その一方の側面に前記中央フレーム６００’の係止孔６３０’に係止される係止部７３０’を備えてなることを特徴とする前項（１７）に記載の複合用途対応型眼鏡。
【発明の効果】
【００２４】
本願発明の複合用途対応型眼鏡によって、下記のような効果が発揮される。
（ア）眼鏡本体にクリップ及び弦が手作業によって容易に着脱できるので、本願発明の複合用途対応型眼鏡だけで帽子装着用眼鏡又は一般的に耳に掛けて使用する眼鏡との、二つの用途に応じて随時使い分けができる。
（イ）眼鏡本体の上縁にレンズ部より厚めの補強部、又は上縁端部にクリップフレーム、又は弦フレームに係止・固定する係止凸部を設け、これらに中央フレーム及びクリップフレーム又は弦フレームを装着し、かつ中央フレームとクリップフレーム又は弦フレームとをフレーム固定板の突起部、又はフレーム固定突起の係止部によって確実・容易に係止・装着でき、激しい運動や帽子のひさしの変更などによって、眼鏡本体からクリップ又は弦が離脱することがなく、安全に使用できる。
（ウ）クリップや弦を、中央フレームに装着する構造となっているので眼鏡本体を薄くでき、軽快感をもった複合用途対応型眼鏡が提供できるばかりでなく、中央フレームが薄いレンズを補強するので、外部の衝撃による眼鏡本体の変形、破損が防止できる。
（エ）クリップ、弦、レンズのいずれか一つが破損した場合にも、破損された部分だけを購入して交換すればよく、維持費が節約でき経済的である。
（オ）そして、眼鏡本体に中央フレームを装着する構造となっているので、レンズに加工を施した、例えば偏光レンズ、度入りレンズ、なども使用することができ、用途に合わせて眼鏡本体のみを交換して使用することができる。
【発明を実施するための最良の形態】
【００２５】
本願発明の複合用途対応型眼鏡は、図１７の本願発明の複合用途対応型眼鏡の説明用斜視図に示すように、眼鏡本体１００と、前記眼鏡本体１００を下面に装着・固定し、かつ、その両端部上面及び側面に眼鏡本体１００を帽子のひさしに装着するための後記のクリップ２００又は眼鏡本体１００を耳に掛ける弦３００を、着脱可能にするフレーム固定板着脱部１１３を有する中央フレーム１１０と、眼鏡本体１００の跳ね上げ角度を調整するギア２１５をその上面に一体的に形成したクリップフレーム２１０を有する左右一対のクリップ２００と、弦フレーム３１０の端部に備えた回転部材３２０を介して回動可能に連接された耳掛け３３０とからなる左右一対の弦３００とで構成されるものであり、前記クリップ２００と弦３００のいずれかを使用の用途に合わせて選択、交換して使用できるものである。
本願発明の複合用途対応型眼鏡を実施するための最良の形態を、４つの実施例について以下に説明する。
【実施例１】
【００２６】
まず第１の実施例を図３〜図７に基づいて説明する。
図３は本願発明の複合用途対応型眼鏡の眼鏡本体の一実施例の正面図（ａ）及び中央断面図（ｂ）、図４は図３の眼鏡本体に装着される中央フレームの一部とその一端に着脱されるクリップ及び弦の一実施例の分解斜視図、図５は本願発明の複合用途対応型眼鏡がクリップを装着してなる場合の正面図、図６は本願発明の複合用途対応型眼鏡が弦を装着してなるときの正面図、図７は図３の眼鏡本体に図４の中央フレームとクリップ又は弦が装着された部分の縦断面図である。
図において１００は眼鏡本体、１０１はレンズ部、１０２は補強部、１０３は中央フレーム固定孔、１１０は中央フレーム、１１１は眼鏡本体挿入溝、１１２はフレーム固定用突起挿入孔、１１３はフレーム固定板着脱部、１１４は固定板突起部係止溝、１５０は中央フレーム固定突起、２００はクリップ、２１０はクリップフレーム、２１１は眼鏡本体挿入溝、２１２はフレーム固定用突起、２１３はフレーム固定板、２１４はフレーム固定板突起部、２１５はギア、２２０はストッパー、２３０はクリップ本体部、２３１はストッパー挿入孔、２３２は軸受け、２４０はギア固定軸、３００は弦、３１０は弦フレーム、３１１は眼鏡本体挿入溝、３１２はフレーム固定用突起、３１３はフレーム固定板、３１４はフレーム固定板突起部、３２０は回転部材、３３０は耳掛け、４００は鼻当て、５００は隙間である。
【００２７】
図３に示した本願発明の複合用途対応型眼鏡の眼鏡本体１００は、レンズ部１０１の上縁がレンズ部１０１より厚めに形成されて補強部１０２となっている。そして前記補強部１０２は、その断面が円形、楕円形、四角形をはじめとする多角形等多様な形状から選択されたいずれかの形状であってよく、また、レンズ部１０１の上部中央には後述の中央フレーム１１０を固定させるための中央フレーム固定孔１０３が形成されている。
【００２８】
図４は図３に示した眼鏡本体１００に装着する中央フレーム１１０の一部と、前記中央フレーム１１０に装着されるクリップ２００及び弦３００の一実施例を示した分解斜視図で、図４では中央フレーム１１０を台形の断面を持つ棒状体として示したが、この形状に限られるものではなく、デザイン性を備えた多様な形状であってよい。
また、中央フレーム１１０は、眼鏡本体の１００（図３参照）の湾曲と同一か少し大きめの湾曲を持たせて形成し、下部には前記眼鏡本体１００の補強部１０２が挿通・固定できるように両端を連通する眼鏡本体挿入溝１１１が、また両側面の上部にはクリップフレーム２１０、又は弦フレーム３１０の一側面に突設されたフレーム固定用突起２１２又は３１２が挿入されるフレーム固定用突起挿入孔１１２が一定の深さを持って形成されている。
さらに、中央フレーム１１０の両端上面には、クリップフレーム２１０又は弦フレーム３１０の上面を延長して形成された板状のフレーム固定板２１３、３１３を着脱するためのフレーム固定板着脱部１１３が一定の深さで形成され、該フレーム固定板着脱部１１３の底部に、前記フレーム固定板２１３、３１３の下面に形成されたフレーム固定板突起部２１４、３１４を係止する固定板突起部係止溝１１４が形成されている。
【００２９】
本願発明の複合用途対応型眼鏡を帽子のひさしに装着するために使用するクリップ２００は、クリップフレーム２１０とストッパー２２０、クリップ本体部２３０とで構成される。
前記クリップフレーム２１０は、その断面が中央フレーム１１０の断面と同一に形成され、下面には前記眼鏡本体１００の補強部１０２の端部を挿入する一定深さの眼鏡本体挿入溝２１１が削設され、また、一方の側面には前記中央フレーム１１０の側面に形成されたフレーム固定用突起挿入孔１１２に挿入するフレーム固定用突起２１２が突設され、さらに前記フレーム固定用突起２１２が形成された側面の上部には、前記中央フレームの上面に形成された固定板着脱部１１３に着脱するフレーム固定板２１３がクリップフレーム２１０の上面を延長した形状で突設されている。さらにまた、前記クリップフレーム２１０上面中央部にはクリップ２００を前後回動し任意の角度で停止させるようにするギア２１５が前記グリップフレーム２１０と一体に形成されている。
なお、前記フレーム固定用突起２１２は、クリップフレーム２１０と同一素材で一体的に形成されてよいが、外部の衝撃、あるいはクリップを帽子に装着する際に加わる力によって破損するのを防止するためアルミニウムなどの金属棒で製作し、クリップフレーム２１０に植設して構成することも好ましい。
【００３０】
次に、前記クリップフレーム２１０の上面にクリップフレーム２１０と一体に形成されたギア２１５は、クリップ本体部２３０に装着されるが、前記クリップ本体部２３０は、その上部に帽子のひさしを把持するクリップを、下部に前記ギア２１５の回動角を制御するストッパー２２０を挿入・保持するストッパー挿入部２３１を、また同ストッパー挿入部２３１の両端には前記ギア２１５を装着するギア固定軸２４０の軸受け部２３２を備えている。
【００３１】
前記弦３００は、弦フレーム３１０とその一方の側面に配設された回転部材３２０及び前記回転部材３２０に回動可能に接続された耳掛け３３０とで構成される。
前記弦フレーム３１０は、前述のクリップフレーム２１０からギア２１５を除いた構造をなし、側面に突設されたフレーム固定板３１３、フレーム固定用突起３１２等の構造、機能は前記クリップフレーム２１０と同じであるので詳細は省略する。
なお、前記弦フレーム３１０の他の側面に配設される回転部材３２０、及び回転部材に接続される耳掛け３３０は、一般に用いられる眼鏡のそれと同じものであってよい。
【００３２】
図５に、図３に示した眼鏡本体１００に中央フレーム１１０とクリップ２００を装着した状態の正面図を示した。このように眼鏡本体１００に中央フレーム１１０とクリップ２００を装着するには次の手順による（一部図４参照）。
〈１〉眼鏡本体１００の上縁の補強部１０２を中央フレーム１１０下面の眼鏡本体挿入溝１１１に挿入し、前記眼鏡本体挿入溝１１１の一方の側壁中央部に備えた半球形状の中央フレーム固定突起１５０を前記眼鏡本体１００のレンズ部１０１中央上部に穿設された中央フレーム固定孔１０３に係止して固定する。
なお、中央フレーム１１０の眼鏡本体挿入溝１１１の湾曲を眼鏡本体１００の湾曲よりやや大きくしておけば、眼鏡本体１００を前記眼鏡本体挿入溝１１１に強制的に挿入することによって、前記眼鏡本体１００の湾曲を開こうとする力と眼鏡本体１００の弾性との作用で、前記中央フレーム固定突起１５０や接着剤を使用することなく眼鏡本体１００を中央フレーム１１０に固定できるので、このような構造を採ることも好ましい。
〈２〉中央フレーム１１０が装着された眼鏡本体１００の補強部１０２の両端からクリップフレーム２１０を、前記補強部１０２がクリップフレーム２１０下面の溝２１１に、クリップフレーム２１０側面上部に突設されたフレーム固定板２１３が中央フレーム１１０上面の固定板着脱部１１３に、またクリップフレーム側面中央部に突設されたフレーム固定用突起２１２が中央フレーム１１０側面の固定突起挿入孔１１２に挿入されるようにして押入する。
【００３３】
押入し終えると図７に示すように、前記フレーム固定板２１３下面のフレーム固定用突起部２１４が中央フレーム固定板着脱部１１３の底面に備えた固定板突起部係止溝１１４に係止・固定されるので、クリップ２００が中央フレーム１１０から左右方向へ離脱するのを防止できる。そしてフレーム固定板２１３の上面と中央フレーム１１０の上面とが同一平面となるので、接続による段差など使用上及び美観上の不具合は生じない。
なお、図７に示す前記フレーム固定板２１３とフレーム固定板着脱部１１３の接合部分に設けられた隙間５００は、ここに爪やコインなどの薄い板を挿入して前記フレーム固定板２１３の端部を上に持ち上げ、前記フレーム固定板突起部２１４を前記固定板突起部係止溝１１４から離脱させて中央フレーム１１０からクリップフレーム２１０を分離するためのものであり、これによって全く同じ構造のフレーム固定板３１３を有する弦フレーム３１０との交換も簡便・容易にする。
なお、前記クリップ２００は、眼鏡本体１００の幅や装着する帽子のつばの形状等に対応して多様な大きさと形状に構成することが好ましい。
【００３４】
図６に、図３に示した眼鏡本体１００に中央フレーム１１０と弦３００を装着した状態の正面図を示した。このように眼鏡本体１００に中央フレーム１１０を装着する手順、及び中央フレーム１１０に弦３００を装着する手順は、前述の眼鏡本体１００に中央フレーム１１０を装着する手段、及び中央フレーム１１０にクリップ２００を装着する手段と同様であるので、詳細は省略する。
なお、この場合にはレンズ部１０１の下縁中央に逆Ｖ字形の鼻当て４００を装着することもできる。この鼻当て４００は、ゴムなど軟質素材で作られ、逆Ｖ字形の外周に沿って前記レンズ部１０２の厚みより狭いスリット状の溝を有するものであり、この溝にレンズ部１０１の縁を強制的に挿入することによって他の付加機構を使用することなく、鼻当て４００をレンズ部１０１に確実、安定に装着できる。
また、前記弦３００は、眼鏡本体１００の幅や使用者の体型、好みなどによって多様な長さと形状に構成することが好ましい。
【実施例２】
【００３５】
次に本願発明の第２の実施例を図８から図１０に基づいて説明する。
図８は本願発明の複合用途対応型眼鏡の眼鏡本体の他の実施例の正面図、図９は図８の眼鏡本体に装着される中央フレームの一部とその一端に着脱されるクリップ及び弦の実施例の分解斜視図、図１０は図８の眼鏡本体に図９の中央フレームとクリップ又は弦が装着された部分の縦断面図である。
図において１００’は眼鏡本体、１０１’はレンズ部、１０４はフレーム装着部、１０５は係止凸部、１１０’は中央フレーム、１１１’は眼鏡本体挿入溝、２００’はクリップ、２１１’は眼鏡本体挿入溝、３００’は弦、５００は隙間であり、その他の符号は実施例１に準じている。
【００３６】
本願発明の第２の実施例の眼鏡本体１００’は、偏光板などのようなフィルム状透明板からなるレンズ部１０１’の上縁両端に、クリップフレーム２１０’又は弦フレーム３１０’に前記眼鏡本体１００’を係止・固定するための図８に示すようなフレーム装着部１０４と係止凸部１０５が形成されている。
この眼鏡本体１００’は大きなフィルム状透明板を係止凸部１０５を備えた形状に裁断した後、加熱加工して任意の湾曲・形態に成形して製作することができるメリットがある。
また、層状のレンズの加工にも適している。
【００３７】
図９は、図８の眼鏡本体１００’に装着する中央フレーム１１０’の一部と、前記中央フレーム１１０’に装着されるクリップ２００’及び弦３００’の分解斜視図で、中央フレーム１１０’には下面に前記眼鏡本体１００’の上縁を挿入する眼鏡本体挿入溝１１１’が、また両側面にはクリップフレーム２１０’又は弦フレーム３１０’のフレーム固定用突起２１２、又は３１２を挿入するフレーム固定用突起挿入孔１１２と両フレーム上面のフレーム固定板２１３，３１３を着脱する固定板着脱部１１３が形成され、さらに前記固定板着脱部１１３の底部には、前記フレーム固定板２１３、３１３の下面に設けたれたフレーム固定板突起部２１４、３１４を係止する固定板突起部係止溝１１４が形成されている。
このとき眼鏡本体挿入溝１１１’の内部に半球形状の中央フレーム固定用突起２１２が形成されていてもよい。
【００３８】
クリップ２００’はクリップフレーム２１０’とストッパー２２０及びクリップ本体２３０で構成される。前記クリップフレーム２１０’に形成されるフレーム固定用突起２１２とフレーム固定板２１３、フレーム固定板突起部２１４等の構成は、実施例１で説明したのと同じであるが、下面に形成される眼鏡本体挿入溝２１１’は、図８に示した眼鏡本体１００’の上縁端部に設けられた係止凸部１０５を挿入・係止できるような、少なくとも前記係止凸部１０５と同一な大きさを持つ溝部を備えたものとして形成される。
またギア２１５、クリップ本体２３０及びストッパー２２０は実施例１と同一な機構と機能を持っている。
【００３９】
弦３００’は、弦フレーム３１０’と回転部材３２０及び耳掛け３３０とで構成される。このとき弦フレーム３１０’下面に形成される眼鏡本体挿入溝３１１’は前述したクリップフレーム２１０’の眼鏡本体挿入溝２１１’と同一で、回転部材３２０、耳掛け３３０の構成と機能は実施例１で説明したとおりである。
また、前記眼鏡本体１００’に弦３００’を装着して使用する際には、図６で示した実施例１と同様に、眼鏡本体１００’の中央下縁に逆Ｖ字形の鼻当て４００を装着し、眼鏡本体１００’が直接鼻に当たらないようにするのがよい。
【００４０】
上記のように構成された眼鏡本体１００’に中央フレーム１１０’とクリップ２００’、又は中央フレーム１１０’と弦３００’を装着する方法は、実施例１で説明したのと同じであるので、詳細は省略する。
なお、図１０に図９のクリップフレーム２１０’が眼鏡本体１００’と中央フレーム１１０’に装着された状態を装着部の縦断面図で示した。また弦フレーム３１０’が眼鏡本体と１００’中央フレーム１１０’に装着された状態を示す装着部の縦断面図も図１０と同じであり、図１０の２００番台の符号を３００番台に書き替えることによって実現できるので、図面の煩雑さを避けるため、ここではクリップフレーム２１０’の装着状態を代表にして説明する。
中央フレーム１１０’の眼鏡本体挿入溝１１１’に挿入された眼鏡本体１００’の端部にクリップフレーム２１０’を装着するが、このとき、眼鏡本体１００’の係止凸部１０５を、クリップフレームの眼鏡本体挿入溝２１１’の係止凸部１０５を挿入するよう形成された溝部に挿入して眼鏡本体１００’のフレーム下部への離脱を防ぐとともに、クリップフレーム２１０’のフレーム固定板２１３を前記中央フレーム１１０’のフレーム固定板着脱部１１３に装着し、フレーム固定板２１３下面の固定板突起部２１４を前記フレーム固定板着脱部１１３の底面に設けた固定板係止溝１１４に係止して、前記クリップ２００’が中央フレーム１１０’の側面から離脱するのを防いでいる。また、前記フレーム固定板２１３とフレーム固定板着脱部１１３の接合部分に爪やコインなどを挿入できる隙間５００を形成し、前記フレーム固定板２１３の端部を上に持ち上げることによって前記フレーム固定板突起部２１４を前記固定板突起部係止溝１１４から離脱させ、中央フレーム１１０’からクリップフレーム２１０’を容易に分離できるので、弦フレーム３１０’との交換も簡便・容易にできるようにしている。
【実施例３】
【００４１】
本願発明の第３の実施例を、図１１及び図１２に基づいて説明する。
図１１は本願発明の複合用途対応眼鏡の中央フレームとクリップフレーム又は弦フレームとの装着構造を説明する斜視図、図１２は図１１の装着構造によって中央フレームとクリップフレーム又は弦フレームとが装着された部分の縦断面図である。
図において６００は中央フレーム、６１０は眼鏡本体挿入溝、６２０はフレーム固定用突起挿入孔、６３０は係止孔、７００はクリップフレーム又は弦フレーム、７１０は眼鏡本体挿入溝、７２０はフレーム固定用突起、７３０は固定用突起係止部、７４０は係止部遊動空間である。
【００４２】
本願発明の第３の実施例は、図１１に示すように、中央フレーム６００とクリップフレーム又は弦フレーム７００との装着構造のみ、前記実施例１のそれと異なっている。
すなわち、中央フレーム６００は、レンズ部１０１の上縁に補強部１０２を備えた眼鏡本体１００（図３参照）の補強部１０２を挿入する左右両端連通した眼鏡本体挿入溝６１０を下面に、クリップ又は弦のフレーム７００の四角柱状のフレーム固定用突起７２０を挿入するフレーム固定用突起挿入孔６２０を左右両側面上部に有し、かつ、前記フレーム固定用突起挿入孔６２０には後述するフレーム固定用突起７２０の固定用突起係止部７３０を係止する係止孔６３０が前記中央フレーム６００の前面及び背面間で貫通するように穿設されている。
なお、図１１の中央フレーム６００は、前述のとおりレンズ部１０１の上縁に補強部１０２を有する実施例１の眼鏡本体１００に装着するものとして示したが、レンズ部１０１’の上縁端部に係止凸部１０５を形成した実施例２の眼鏡本体１００’（図８参照）を装着する場合には、眼鏡本体挿入溝６１０を図９に示した眼鏡本体挿入溝１１１’の形状にすればよい。
【００４３】
次に、図１１に示したクリップ又は弦フレーム７００は、上面にギア２１５（図４参照）を形成すればクリップフレームとなり、側面に回転部材３２０（図４参照）を備えれば弦フレームとなる基本構造部分のみを示したものであり、その断面形状は前記中央フレーム６００の断面形状と同一に形成され、下面には眼鏡本体１００の補強部１０２を挿入する眼鏡本体挿入溝７１０を、左右いずれか一方の側面には四角柱状のフレーム固定用突起７２０を形成している。
なお、レンズ部１０１’の上縁端部に係止凸部１０５を形成した実施例２の眼鏡本体１００’（図８参照）の場合には、眼鏡本体挿入溝６１０を図９に示した眼鏡本体挿入溝１１１’の形状にすればよい。
また、前記フレーム固定用突起７２０は、、クリップフレーム又は弦フレーム７００と一体に形成されるか、アルミニウムなどの金属棒を植設したものであってよく、その四角柱状の両側面に、前記中央フレーム６００のフレーム固定用突起挿入孔６２０の側壁に穿設された係止孔６３０に係止される係止部７３０がフレーム固定用突起７２０と一体に、かつ、外から力が加わったときに内側に押し曲げられ、力が除かれたときに復元する弾性を持たせて形成されている。
【００４４】
次に、図１１に示した中央フレーム６００とクリップフレーム又は弦フレーム７００とが装着され分離される機構、手順を図１２に基づいて説明する。
図１２は中央フレーム６００とクリップフレーム又は弦フレーム７００に植設された四角柱状のフレーム固定用突起７２０が中央フレーム６００のフレーム固定用突起挿入孔６２０に挿入され、前記フレーム固定用突起７２０の両側面に形成された係止部７３０が中央フレーム６００の係止孔６３０に貫入された状態を示している。
前記フレーム固定用突起７２０の先端を前記フレーム固定用突起挿入孔６２０の開口部から押入すると、前記係止部７３０はフレーム固定用突起挿入孔６２０の側壁に押されて前記係止部７３０の内側に設けられた遊動空間７４０に押し曲げられ、さらに押入を続けると前記係止部７３０の頭部がフレーム固定用突起挿入孔６２０の側壁面を摺動しながら前進し、前記係止部７３０が中央フレーム６００の側壁の穿設された係止孔６３０の位置に至ると係止部７３０の持つ弾性で係止部７３０が係止孔６３０に貫入し、クリップフレーム又は弦フレーム７００と中央フレーム６００とが連結・固定される。
中央フレーム６００に連結・固定されたクリップフレーム又は弦フレーム７００を中央フレーム６００から分離するには、中央フレーム６００の係止孔６３０に貫入している係止部７３０の頭部を、中央フレーム６００の前面及び裏面に開いた係止孔６３０の開口部から指で押し込みながらクリップフレーム又は弦フレームを７００を引っ張ればよい。
【００４５】
本実施例３ではクリップフレーム又は弦フレーム７００のフレーム固定用突起７２０を四角柱状として説明したが、円柱状であってもよく、また係止部もその機能が発揮されるのであればいかなる形態であってもよく、本実施例記載のものに限られることなく多様な形態に製造されてよい。
【実施例４】
【００４６】
本願発明の第４の実施例を、図１３〜図１６に基づいて説明する。
図１３は本願発明の複合用途対応眼鏡の眼鏡本体、中央フレーム及び鼻当ての構造を示す正面図（ａ）と側面図（ｂ）であり、図１４は眼鏡本体に中央フレーム、鼻当てを装着したときの正面図（ａ）、側面図（ｂ）及び背面図（ｃ）、図１５は本実施例の中央フレームとクリップフレーム又は弦フレームとの装着構造を説明する縦断面図、図１６は眼鏡本体に中央フレーム、鼻当て、及びクリップフレーム（左側）、又は弦フレーム（右側）を装着したときの正面図である。
図において４００’は鼻当て、４１０はレンズ部挿入溝、４２０は鼻当て部、４３０は連結部、４４０は中央フレーム押さえ、６００’は中央フレーム、６１０は眼鏡本体挿入溝、６２０はフレーム固定用突起挿入孔、６３０は係止孔、７００’はクリップフレーム又は弦フレーム、７２０’はフレーム固定用突起、７３０’は固定用突起係止部であり、他の符号は図１〜図１２で使用したものに準ずる。
【００４７】
本願発明の第４の実施例の複合用途対応型眼鏡は、図１３に示すように、レンズ本体１００’、中央フレーム６００’、鼻当て４００’及び図示しないクリップ、弦とからなる。前記眼鏡本体１００’は、レンズ部１０１’の上縁両端に係止凸部１０５が、上縁中央に中央フレームの６００’を装着する際その位置を確実容易に設定し得る窪み１０６が形成されており、中央フレーム６００’の下面には前記眼鏡本体１００’の上縁を挿入する眼鏡本体挿入溝６１０がその中央部に前記眼鏡本体１００’上縁中央の窪み１０６に係止する凸部を備えて形成されている。
また、中央フレーム６００’の左右両端部には、クリップフレーム又は弦フレーム７００’のフレーム固定用突起７２０’（図１５参照）を挿入するフレーム固定用突起挿入孔６２０が形成され、さらに裏面の両端部付近には、前記クリップフレーム又は弦フレーム７００’の固定用突起係止部７３０を貫入する固定用突起係止孔６３０’［図１４（ｃ）参照］が前記固定用突起挿入孔６２０に貫通するよう穿設され、そして前面中央上部には鼻当て４００’の中央フレーム押さえ４４０を挿入する中央フレーム押さえ挿入部６４０が形成されている。
前記鼻当て４００’は、眼鏡本体１００’の下縁を挿入する眼鏡本体挿入溝４１０を有する逆Ｖ字状の鼻当て部４２０と、中央フレーム６００’を上から押さえて眼鏡本体に固定するための中央フレーム押さえ４４０と、その両者を連結する連結部４３０とが柔軟な素材によって一体的に形成されている。
【００４８】
これらは、図１４に示すように眼鏡本体１００’に中央フレーム６００’と鼻当て４００’を固定した後、前記中央フレーム６００’にクリップ、又は弦を装着する。その詳細手順は次のとおりである（一部図１３を参照）。
〈ａ〉中央フレーム６００’下面の眼鏡本体挿入溝６１０に眼鏡本体１００’の上縁中央部を挿入する。このときレンズ部１０１’の上縁中央の窪み１０６に、前記中央フレーム６００’の眼鏡本体挿入溝６１０中央の凸部を係止すれば両者の位置を確実容易に確定できる。
〈ｂ〉レンズ部１０１’下縁中央部に鼻当て４００’の眼鏡本体挿入溝４１０をあてがい、前記鼻当て４００’の上部の中央フレーム押さえ４４０を、中央フレーム６００’の中央フレーム押さえ挿入部６４０に挿入する。
〈ｃ〉上記手順〈ａ〉〈ｂ〉によってレンズ部１０１’に固定された中央フレーム６００’のフレーム固定用突起挿入孔６２０の開口部に、クリップフレーム又は弦フレーム７００’のフレーム固定用突起７２０’（図１５参照）をその先端から押入する。このとき、クリップフレーム又は弦フレーム７００’のフレーム固定用突起７２０’先端部の固定用突起係止部７３０’は、フレーム固定用突起挿入孔６２０の側壁に押されて前記係止部の７３０’の内側に押し曲げられ、さらに押入を続けると前記係止部７３０’の頭部がフレーム固定用突起挿入孔６２０の側壁面を摺動しながら前進し、前記係止部が中央フレーム６００の側壁の穿設された係止孔６３０’の位置に至ると係止部７３０’の持つ弾性で係止部７３０’が係止孔６３０に貫入し、図１５に示すようにクリップフレーム又は弦フレーム７００’と中央フレーム６００’とが連結・固定される。
図１６に本実施例の組立て完成時の状態を、左側にクリップを、右側に弦を装着した正面図で示した。
なお、中央フレーム６００’に装着されたクリップフレーム又は弦フレーム７００’を中央フレーム６００’から分離するには、中央フレーム６００’の係止孔６３０’に貫入している係止部７３０’の頭部を、中央フレーム７００’裏面の係止孔開口部から指で押し込みながらクリップフレーム又は弦フレームを７００’を引っ張ればよい。
【産業上の利用可能性】
【００４９】
本願発明は、眼鏡本体を帽子のひさしに装着するクリップと、又は耳に掛ける弦とを着脱可能にし、用途に応じて交換して使用できるので、特に野外でのスポーツ、例えばゴルフや登山など日差しや紫外線防止のサングラス、眩光防止の偏光眼鏡等に適用できる。
【図面の簡単な説明】
【００５０】
【図１】従来の帽子装着型眼鏡の設置状態を示す斜視図
【図２】従来の複合用途対応型眼鏡の一つの実施例主要部の分解斜視図
【図３】本願発明の複合用途対応型眼鏡の眼鏡本体一実施例の正面図（ａ）及び中央断面図（ｂ）
【図４】図３の眼鏡本体に装着される中央フレームの一部とその一端に着脱されるクリップ及び弦の一実施例の分解斜視図
【図５】本願発明の複合用途対応型眼鏡がクリップを装着してなる場合の正面図
【図６】本願発明の複合用途対応型眼鏡が弦を装着してなるときの正面図
【図７】図３の眼鏡本体に図４の中央フレームとクリップ又は弦が装着された部分の縦断面図
【図８】本願発明の複合用途対応型眼鏡の眼鏡本体の他の実施例の正面図
【図９】図８の眼鏡本体に装着される中央フレームの一部とその一端に着脱されるクリップ及び弦の実施例の分解斜視図
【図１０】図８の眼鏡本体に図８の中央フレームとクリップ又は弦が装着された部分の縦断面図
【図１１】本願発明の複合用途対応眼鏡の中央フレームとクリップフレーム又は弦フレームとの装着構造を説明する斜視図
【図１２】図１１の装着構造によって中央フレームとクリップフレーム又は弦フレームとが装着された部分の縦断面図
【図１３】本願発明の複合用途対応眼鏡の眼鏡本体、中央フレーム及び鼻当ての構造を示す正面図（ａ）と側面図（ｂ）
【図１４】眼鏡本体に中央フレーム、鼻当てを装着したときの正面図（ａ）、側面図（ｂ）及び背面図（ｃ）
【図１５】本実施例の中央フレームとクリップフレーム又は弦フレームとの装着構造を説明する縦断面図
【図１６】眼鏡本体に中央フレーム、鼻当て、及びクリップフレーム（左側）、又は弦フレーム（右側）を装着したときの正面図
【図１７】本願発明の複合用途対応型眼鏡の説明用斜視図
【符号の説明】
【００５１】
Ａ：帽子
Ｂ：ひさし
Ｃ：クリップ
Ｄ：眼鏡本体
Ｘ：帽子装着型眼鏡
Ｘ’：複合用途対応型眼鏡
１：眼鏡本体
２：着脱溝
１０：クリップ
１１：ギア
１２：クリップ本体部
１３：ストッパー
１４：ストッパー挿入部
１５：軸受け部
１６：ギア固定軸
２０：弦
２１：フレーム固定板着脱部
２２：弦部
２３：回転部材
１００、１００’：眼鏡本体
１０１、１０１’：レンズ部
１０２：補強部
１０３：中央フレーム固定孔
１０４：フレーム装着部
１０５：係止凸部
１０６：眼鏡本体の上縁中央の窪み
１１０、１１０’：中央フレーム
１１１、１１１’：眼鏡本体挿入溝
１１２：フレーム固定用突起挿入孔
１１３：フレーム固定板着脱部
１１４：固定板突起部係止溝
２００、２００’：クリップ
２１０、２１０’：クリップフレーム
２１１、２１１’：眼鏡本体挿入溝
２１２：フレーム固定用突起
２１３：フレーム固定板
２１４：フレーム固定板突起部
２１５：ギア
２２０：ストッパー
２３０：クリップ本体部
２３１：ストッパー挿入孔
２３２：軸受け
２４０：ギア固定軸
３００、３００’：弦
３１０、３１０’：弦フレーム
３１１、３１１’：眼鏡本体挿入溝
３１２：フレーム固定用突起
３１３：フレーム固定板
３１４：フレーム固定板突起部
３２０：回転部材
３３０：耳掛け
４００、４００’：鼻当て
４１０：レンズ部挿入溝
４２０：鼻当て部
４３０：連結部
４４０：中央フレーム押さえ
５００：隙間
６００、６００’：中央フレーム
６１０：眼鏡本体挿入溝
６２０：フレーム固定用突起挿入孔
６３０、６３０’：フレーム固定用突起係止孔
６４０：中央フレーム押さえ挿入部
７００、７００’：クリップフレーム又は弦フレーム
７１０、７１０’：眼鏡本体挿入溝
７２０、７２０’：フレーム固定用突起
７３０、７３０’：固定用突起係止部
７４０：固定用突起係止部遊動空間
【図１】
2006039511.tif 000003
【図２】
2006039511.tif 000004
【図３】
2006039511.tif 000005
【図４】
2006039511.tif 000006
【図５】
2006039511.tif 000007
【図６】
2006039511.tif 000008
【図７】
2006039511.tif 000009
【図８】
2006039511.tif 000010
【図９】
2006039511.tif 000011
【図１０】
2006039511.tif 000012
【図１１】
2006039511.tif 000013
【図１２】
2006039511.tif 000014
【図１３】
2006039511.tif 000015
【図１４】
2006039511.tif 000016
【図１５】
2006039511.tif 000017
【図１６】
2006039511.tif 000018
【図１７】
2006039511.tif 000019